(57)【要約】      （修正有）【課題】従来の歯ブラシよりも遥かに効率よく歯磨きを行うことが可能な画期的な歯ブラシを提供する。【解決手段】長尺状握り部と、長尺状握り部の先端部に直線状に接続される歯ブラシ基体部１４とを具備する。歯ブラシ基体部１４を幅狭な中央ブラシ毛植設部１６Ａと中央ブラシ毛植設部１６Ａの両側部に設け外方に傾斜する左右一対の傾斜側面ブラシ毛植設部１８Ａとを含む柱体状に形成する。中央ブラシ毛植設部１６Ａには短尺及び長尺の直線状ブラシ毛２２，２４が長手方向に交互に位置して凹凸状になるように中央ブラシ毛列２０を植設し、左右一対の傾斜側面ブラシ毛植設部１８Ａには内側に側面内側ブラシ毛列２６及び外側に側面外側ブラシ毛列２８とが交互に位置するように２列に植設する。側面内側ブラシ毛列２６は短尺の内側弧状ブラシ毛２６ａを用い、側面外側ブラシ毛列２８は内側弧状ブラシ毛よりも長尺の外側弧状ブラシ毛２８ａを用いる。【選択図】図３
0003185736.tif 000002
【実用新案登録請求の範囲】
【請求項１】
長尺状握り部と、該長尺状握り部の先端部に直線状に接続されるとともに多数本の弾力性のあるプラスチック材料製ブラシ毛を植設するための歯ブラシ基体部とを具備し、前記歯ブラシ基体部を幅狭な中央ブラシ毛植設部と該中央ブラシ毛植設部の両側部に設けられ外方に傾斜する左右一対の傾斜側面ブラシ毛植設部とを含む柱体状に形成し、該中央ブラシ毛植設部に短尺及び長尺の直線状ブラシ毛が長手方向に交互に位置して凹凸状になるように中央ブラシ毛列を植設し、該左右一対の傾斜側面ブラシ毛植設部には内側に側面内側ブラシ毛列及び外側に側面外側ブラシ毛列をそれらが交互に位置するように２列に植設し、前記側面内側ブラシ毛列は短尺の内側弧状ブラシ毛を用い、該左右一対の内側弧状ブラシ毛が弾力性のあるアーチ形状になるようにカーブせしめられかつそれぞれの先端部が接触し又は交差するように植設されて形成され、さらに前記側面外側ブラシ毛列は前記内側弧状ブラシ毛よりも長尺の外側弧状ブラシ毛を用い、該左右一対の外側弧状ブラシ毛が弾力性のあるアーチ形状になるようにカーブせしめられかつそれぞれの先端部が接触し又は交差するように植設されて形成されてなることを特徴とする歯ブラシ。
【請求項２】
前記内側及び外側の弧状ブラシ毛が前記長尺の直線状ブラシ毛の先端中央部を中心点とした円の円弧に一致する形状であることを特徴とする請求項１記載の歯ブラシ。
【考案の詳細な説明】
【技術分野】
【０００１】
本考案は、毛先を歯に向けブラシ部を垂直に歯にあてて磨くと、咬合面、頬舌面及び歯頸部を同時に磨くことができ、かつスクラビング法、バス法等の高度なブラッシング法を容易に行うことができるようにした歯ブラシに関する。
【背景技術】
【０００２】
従来、歯磨方法（ブラッシング法）には種々の方法が知られており、特にバス法及びスクラビング法は高度なブラッシング法として推奨されている。
【０００３】
バス法は、まず歯ブラシを歯軸に対して咬合面方向から約４５度にあて、歯ブラシの毛先の位置は歯頸部に置き、歯面に沿ってすべるような感じでわずかな圧迫を加えると、当該毛先が自然に歯肉溝内に誘導され、ついで毛先の位置を動かさずに歯ブラシの頭部を近遠心方向に数秒間小さな前後振動を加え、また前歯部舌面及び最後方臼歯の遠心面は、歯ブラシの刷毛部の先端を縦に挿入し、同一動作を繰り返す方法である。
【０００４】
スクラビング法は、ブラッシング動作自体の難易牲およびブラッシングによる為害作用（歯の摩耗や歯肉の退縮）を考慮した清掃効果の高い方法で、歯ブラシの毛先を歯面に直角にあて、近遠心的に数ｍｍ歯面をこする要領で歯ブラシ全体を振動し、頬面では歯ブラシの毛先が一方では頬側咬頭をまたぎ、他方は歯肉辺縁の近くにあり、隣接歯面では歯ブラシの毛先が歯間腔に入った状態で前後の微振動を行い、また、舌前においても同様であるが、歯ブラシと歯面の角度が頬面刷掃時よりも浅く、舌側歯面と咬合面にまたがった状態で前後的に微振動を行う方法である。
【０００５】
これらの高度な歯磨法を通常の歯ブラシで行うのは通常人にとってはなかなか困難でありかつ面到なことであるから、これらの歯磨法はなかなか実施されていないのが現状である。
【０００６】
一方、歯の頬側面及び舌側面を同時に一操作にて磨くことを目的とした歯ブラシは既に提案されている（特許文献１）が、この歯ブラシでは刷毛列を内方に単に湾曲又は折曲させているだけであるから、上述した高度なブラッシング法を確実かつ簡単に実施することは不可能なものであった。
【０００７】
そこで、本考案者は、上述した従来の歯ブラシをさらに改良し、スクラビング法、バス法等のブラッシング法を確実かつ簡単に行うことができるようにした歯ブラシについての研究を重ね既に提案を行った（特許文献２）。
【０００８】
上記した本考案者が提案した歯ブラシは、長尺状握り部と、該長尺状握り部に直線状に接続されたブラシ部とを具備し、該ブラシ部の長手方向の中央部に短尺の咬合面清掃用刷毛列を植設し、該短尺の歯磨用刷毛列の外側に一対の頬舌面清掃用刷毛列を植設しかつ該頬舌面清掃用刷毛の中央部分を１００〜１６０度の角度で内方にかつ互いの先端面が相対向するように屈曲せしめ、該頬舌面清掃用刷毛列のさらに外側に一対の歯頸部清掃用刷毛列を植設しかつ該歯頸部清掃用刷毛の中央部分を１００〜１６０度の角度で内方にかつ互いの先端面が相対向するように屈曲せしめたものであり、該ブラシ部の上面長手方向に断面略Ｖ宇状の凹部面を形成し、該凹部状ブラシ部上面に上記した各刷毛列を植設するように構成すれば、各刷毛列の弾力牲が増大し刷毛による清掃効果が一層高まる点についての提案も併せて行った。
【０００９】
上記した本考案者の従来の提案によれば、（１）咬合面、頬側及び舌側の歯面を一度に磨くことができ、（２）すくなくとも従来の半分の時間で歯磨を行うことができ、（３）スクラビング法及びバス法の２種類の効果的かつ高度なブラッシング法を簡単に行うことができ、（４）外側の刷毛列を屈曲せしめてあるから、歯の矯正装置及びブリッジ（橋義歯）の清掃も行いやすくなるという実用的効果を奏するものであった。
【００１０】
しかしながら、上記した本考案者の従来提案の歯ブラシではいまだ磨きたい箇所を簡易にかつ充分に磨き上げるという観点からは不十分な点があり、歯の溝、側面、清掃の難しい歯周ポケットの清掃、歯と歯の隣接面、歯頸部及び辺縁歯肉の清掃、刺激によるマッサージ効果を同時に行うことはできず、さらに、歯周病の原因になる歯垢、食物残渣を容易に除去することができるか否かの観点からも充分とはいえない点があった。
【先行技術文献】
【特許文献】
【００１１】
【特許文献１】特開昭５７−５２４０８号公報
【特許文献２】特開昭６４−５１４３１号公報
【考案の概要】
【考案が解決しようとする課題】
【００１２】
本考案者は、上記提案に係る歯ブラシの改良についてさらに鋭意研究を進めた結果、従来の歯ブラシよりも遥かに効率よく歯磨きを行うことが可能な画期的な歯ブラシを完成したものである。本考案は、この新規な歯ブラシを提供することを目的とするものである。
【課題を解決するための手段】
【００１３】
上記課題を解決するために、本考案の歯ブラシは、長尺状握り部と、該長尺状握り部の先端部に直線状に接続されるとともに多数本の弾力性のあるプラスチック材料製ブラシ毛を植設するための歯ブラシ基体部とを具備し、前記歯ブラシ基体部を幅狭な中央ブラシ毛植設部と該中央ブラシ毛植設部の両側部に設けられ外方に傾斜する左右一対の傾斜側面ブラシ毛植設部とを含む柱体状に形成し、該中央ブラシ毛植設部に短尺及び長尺の直線状ブラシ毛が長手方向に交互に位置して凹凸状になるように中央ブラシ毛列を植設し、該左右一対の傾斜側面ブラシ毛植設部には内側に側面内側ブラシ毛列及び外側に側面外側ブラシ毛列をそれらが交互に位置するように２列に植設し、前記側面内側ブラシ毛列は短尺の内側弧状ブラシ毛を用い、該左右一対の内側弧状ブラシ毛が弾力性のあるアーチ形状になるようにカーブせしめられかつそれぞれの先端部が接触し又は交差するように植設されて形成され、さらに前記側面外側ブラシ毛列は前記内側弧状ブラシ毛よりも長尺の外側弧状ブラシ毛を用い、該左右一対の外側弧状ブラシ毛が弾力性のあるアーチ形状になるようにカーブせしめられかつそれぞれの先端部が接触し又は交差するように植設されて形成されてなることを特徴とする。
【００１４】
前記長尺の直線状ブラシ毛の長さは４〜６ｍｍが好適である。この長尺の直線状ブラシ毛が短すぎると弾力効果がなくなり、溝への清掃効果が弱くなり、一方長すぎると毛がよれてしまい、又はへたってしまって溝への清掃効果を発揮できないという問題がある。短尺の直線状ブラシ毛は該長尺の直線状ブラシ毛の長さよりも１ｍｍ程度短くすればよい。
【００１５】
前記内側及び外側の弧状ブラシ毛が前記長尺の直線状ブラシ毛の先端中央部を中心点とした円の円弧に一致する形状であるのが好ましい。前記長尺の直線状ブラシ毛の長さを上述したように４〜６ｍｍとした場合には該円弧の中心点は歯ブラシ本体の基底部から４〜６ｍｍの高さに位置することとなる。
【００１６】
前記外側弧状ブラシ毛の円弧の半径は、前歯や臼歯の長さを勘案すると４．５ｍｍ〜９ｍｍ程度が好適であり、左右からしっかり歯及び歯肉包み込み、清掃マッサージを可能にする。前記内側及び外側弧状ブラシ毛の先端部を４〜６ｍｍ程度重ねるようにし、長くした分だけ弾性力が高まり、戻ろうとする弾性力で隣接面、歯間の清掃、辺縁歯肉にマッサージを有効に行うことができるという利点がある。なお、中心点の周りの円形の空隙は、直線状ブラシ毛が押し込まれ弾力を発揮できるスペースになるという有利さがある。
【００１７】
前記歯ブラシ基体部は、幅狭な平坦基底部と該平坦基底部の両側部に設けられ外方に傾斜する左右一対の傾斜側面部とを有しているが、該基底面と傾斜側面部とのなす角度は３０度〜４５度程度とし、歯ブラシの幅が厚過ぎないように調整するのが好ましい。
【００１８】
上記した直線状ブラシ毛の長さの数値及び基底面と傾斜側面部とのなす角度の数値は前歯及び臼歯の平均値から算出したもので、最良の範囲を示すものである。
【００１９】
前記プラスチック材料製ブラシ毛が弾力性のあるナイロン製であることが好ましいが、ナイロンの他にＰＢＴ（ポリブチレンテレフタレート）やＰＰ（ポリプロピレン）を用いることもできる。
【考案の効果】
【００２０】
本考案の歯ブラシは、歯ブラシを上から歯に押し付けて、挟み込むようにするだけで、弧状の毛が戻ろうとする弾力性で歯、歯肉をつかみ込み、磨きたいところを隅ずみまで的確に清掃を可能にし、また、簡単な操作動かし方で、同時に歯の溝、側面、清掃の難しい歯周ポケットの清掃、歯と歯の隣接面、歯頸部及び辺縁歯肉の清掃、刺激によるマッサージ効果を発揮し、さらに、歯周病の原因になる歯垢、食物残渣を容易に除去することができる上、歯の減り（持続的な直毛ブラシによる歯茎部付近の磨耗、知覚過敏、根面う蝕）を減少することのできるという大きな効果を奏するものである。
【００２１】
本考案の歯ブラシは、不正咬合（何らかの原因で、歯の形態と発育と機能に異常をきたし、その結果、正常な咬合機能を営み得ない咬合状態をいうが、この状態では従来の歯ブラシではブラシ毛が届かない場合が多く、充分な歯磨きを行えなかった）や、叢生（八重歯、乱ぐい歯等をいうが、この場合も従来の歯ブラシではブラシ毛が届かず、歯垢が残ることが多く、また歯が汚れ易いので、虫歯や歯周病の原因になりやすい）に対しても効果的な歯磨きをおこなうことができ、また矯正中の歯に対しても有効な歯磨きを行うことが可能である。
【００２２】
歯科で推奨されている磨き方には４５度に毛を当てるバス法、圧迫振動するスクラビング法が良いとされ、電動、音波ブラシはその動きを目指して開発されている。しかし、電動にしても通常の手動にしても、歯ブラシの当て方、角度挿入方法は個人差があり裏側（舌側、口蓋側）の奥歯側（臼歯部）はなかなか磨けていないケースが多い。本考案の歯ブラシはこの点も、歯ブラシを挿入して押し当て包み込むだけでそのまま奥にずらすだけなので、後に説明するが奥にずらす方向も間違えずに、いとも簡単に磨く事ができる。
【００２３】
本考案の歯ブラシの中央ブラシ毛列のブラシ毛は、その長さを交互に短尺と長尺とし凹凸となるように植設されおり、そのブラシ毛は臼歯部の細かな溝に圧をかけることにより効果的に入り込み隅々までの清掃刺激効果を発揮する。また、側面のロール状の毛を、交互に植毛することにより、歯ブラシ全体の幅を小さくすることができるという利点がある。
【００２４】
本考案の歯ブラシの弧状（ロール状）になって二列一対で向かい合っている側面内側ブラシ毛列及び側面外側ブラシ毛列に対して上から圧をかけて歯に押し当て挟み込むことにより、それぞれのブラシ毛は広げられ側面外側ブラシ毛列の先端は辺縁歯肉及び隣接面に当接し、一方側面内側ブラシ毛列の先端は歯周ポケット、隣接面及び歯間乳頭歯肉に当接し的確かつ容易に清掃マッサージ効果を発揮する。従来の歯ブラシを使用して歯磨きをする場合には、磨きすぎによって歯の側面部分、歯茎部及び根面が磨り減ってしまうという不都合がよく発生していたが、本考案の歯ブラシによれば、側面ブラシ毛を弧状とすることによってブラシ毛が歯の側面部分にマイルドに接触することとなり、そのような不都合の発生も解消するものである。
【００２５】
本考案の歯ブラシの側面ブラシ毛列において、弧状（ロール状）ブラシ毛の中央部は歯の側面に対してロール状になっている為にブラシ毛の多くの表面積が歯面に接触し、前後に動かすことにより、しっかりと歯面を研磨、清掃を発揮する。また、横磨きのやりすぎによる歯の側面部分、歯頸部及び根面のエナメル質が摩耗して起こる、知覚過敏の原因の楔状欠損の発生をブラシ毛が弧状になっている為に、直毛状のブラシ毛の場合に直毛ブラシ毛が直接圧をかけてしまって知覚過敏になるような不都合の発生はなく、容易に防ぐことができる。
【００２６】
この知覚過敏の発生する磨き方は習慣になっているケースが多く、しっかりとした磨き方の指導を受けて、意識して身につけないとなかなか難しいのが現状である。また、歯並びが重なっていたりして磨きづらい症例の方でも、弧状に湾曲したブラシの戻ろうとする弾力性で、つまり適度な圧力で隅ずみまで毛先を行き渡らせることが可能となる。この場合、図６に示したように、本考案の歯ブラシを歯に押し込み、全体を包込んだ状態で、前後に動かすだけという簡単な操作で実施できる。
【００２７】
本考案の歯ブラシのもうひとつの利点は、両側の側面ブラシ毛の植毛位置が傾斜側面であるために側面ブラシ毛が外側に向かっており、これによって弧状のブラシ毛が頬粘膜及び舌側縁の清掃を可能にすることである。本考案の歯ブラシでは、左右一対の傾斜側面ブラシ毛植設部には内側に側面内側ブラシ毛列及び外側に側面外側ブラシ毛列をそれらが交互に位置するように２列に植設しており、側面内側ブラシ毛列及び側面外側ブラシ毛列を互いに真横になるように植毛しないのは、ブラシ毛植設部、ひいては歯ブラシ基体の幅を小型化にし、違和感を最小限にとどめるためにこのような形態を採用したものである。
【００２８】
通常の歯ブラシを使用する場合には、上顎口蓋側（内側）に歯ブラシを挿入する時に、頬側（外側）は歯列弓にそって斜め外側に挿入するのに、まっすぐ後ろに挿入してしまうために、歯周病になってしまい、歯周ポケットを深くしてしまうケースが多い。このようなケースでも、本考案の歯ブラシを使用すれば、歯を挟んで徐々に奥にずらしていくため、均等な圧力で歯、及び歯周組織をくまなく清掃する清掃マッサージを容易に行うことが可能になる利点がある。
【図面の簡単な説明】
【００２９】
【図１】本考案の歯ブラシの一つの実施の形態を示す全体斜視図である。
【図２】本考案の歯ブラシのブラシ毛植設部の上面図で、ブラシ毛の上部を省略して示してある。
【図３】本考案の歯ブラシを先端方向から見た拡大正面図である。
【図４】本考案の歯ブラシの中央ブラシ毛列を摘出して示す側面図である。
【図５】本考案の歯ブラシによって歯磨きを行う場合の一例を示す説明図である。
【図６】本考案の歯ブラシによって歯磨きを行う場合の他の例を示す説明図である。
【図７】本考案の歯ブラシによって歯磨きを行う場合の別の例を示す説明図である。
【図８】本考案の歯ブラシの他の構造例を示す図３と同様の図面である。
【図９】本考案の歯ブラシの製造手順の一例を示すフローチャートである。
【考案を実施するための形態】
【００３０】
以下、本考案の一つの実施の形態を添付図面に基づいて説明するが、これらの説明は例示的に示されるもので限定的に解釈すべきものでないことはいうまでもない。
【００３１】
図中、１０は本考案に係る歯ブラシで、長尺状握り部１２と、該長尺状握り部１２の先端部に直線状に接続されるとともに多数本の弾力性のあるプラスチック材料製ブラシ毛を植設するための歯ブラシ基体部１４とを具備している。前記プラスチック材料製ブラシ毛が弾力性のあるナイロン、ＰＢＴ（ポリブチレンテレフタレート）又はＰＰ（ポリプロピレン）製等であることがより好ましい。
【００３２】
なお、後述する弧状形状のブラシ毛を形成するにあたっては、形状記憶性プラスチック材料製ブラシ毛が好適に使用され、形状記憶性ナイロン製ブラシ毛がより好適である。また、プラスチック製ブラシ毛としては、０．１ｍｍ〜０．３５ｍｍ程度の太さのブラシ毛が好適に使用され、ブラシ毛が太いと硬いブラシとなり、ブラシ毛が細いと柔らかいブラシとなるものである。前記記憶性プラスチック材料製ブラシ毛の材料としては、ナイロンの他にＰＢＴ（ポリブチレンテレフタレート）やＰＰ（ポリプロピレン）を用いることもできる。
【００３３】
弧状形状のブラシ毛の製造について、さらに具体的にいえば、最初に長尺螺旋状のプラスチック製コイルを製造し、これを中央部において長手方向に切断すると、多数の弧状（コイル状）のブラシ毛材料を簡易に製造することができ、これを傾斜側面ブラシ毛植設部１８Ａに植設することによって側面ブラシ毛列を形成することができる。
【００３４】
前記歯ブラシ基体部１４は、図３及び図５によく示されるように、正面略台形状の略四角柱体状に形成されている。該歯ブラシ基体部１４は、幅狭な平坦基底部１６と該平坦基底部１６の両側部に設けられ外方に傾斜する左右一対の傾斜側面部１８，１８とを有している。なお、図３に示した基底部１６と傾斜側面部１８とのなす角度αは３０度〜４５度程度とし、歯ブラシ１０の幅が厚過ぎないように調整するのが好ましい。
【００３５】
前記歯ブラシ基体部１４はブラシ毛植設部１４Ａとして作用するもので、前記平坦基底部１６は中央ブラシ毛植設部１６Ａとされ、前記左右一対の傾斜側面部１８，１８は左右一対の傾斜側面ブラシ毛植設部１８Ａ，１８Ａとされている。
【００３６】
該中央ブラシ毛植設部１６Ａの長手方向には中央ブラシ毛列２０が植設されている。該中央ブラシ毛列２０は短尺の直線状ブラシ毛２２及び長尺の直線状ブラシ毛２４を用い、その短尺及び長尺の直線状ブラシ毛２２，２４が長手方向に交互に位置して凹凸状になるように植設して形成されている。
【００３７】
前記左右一対の傾斜側面ブラシ毛植設部１８Ａ，１８Ａには内側に側面内側ブラシ毛列２６，２６及び外側に側面外側ブラシ毛列２８，２８が、図２に示したように、それらが交互に位置するように２列に植設されている。
【００３８】
前記側面内側ブラシ毛列２６，２６は短尺の内側弧状ブラシ毛２６ａを用い、該左右一対の内側弧状ブラシ毛２６ａ，２６ａが弾力性のあるアーチ形状になるようにカーブせしめられかつそれぞれの先端部が図３に示したように接触部分Ｂ１，Ｂ２で接触し又は図８に示したように重複部分Ｗ１，Ｗ２で重複交差するように植設されて形成されている。
【００３９】
さらに前記側面外側ブラシ毛列２８，２８は前記内側弧状ブラシ毛２６ａ，２６ａよりも長尺の外側弧状ブラシ毛２８ａを用い、該左右一対の外側弧状ブラシ毛２８ａ，２８ａが弾力性のあるアーチ形状になるようにカーブせしめられかつそれぞれの先端部が接触し又は交差するように植設されて形成されている。上記内側弧状ブラシ毛２６ａ，２６ａ及び外側弧状ブラシ毛２８ａ，２８ａの弧状形状としては、図３及び図８に示したように、円弧状の形状が好ましい。
【００４０】
前記内側及び外側の弧状ブラシ毛２６ａ，２８ａが前記長尺の直線状ブラシ毛２４の先端中央部を中心点Ｃとした円の円弧に一致する形状であるのが好ましい。前記長尺の直線状ブラシ毛２４の長さを上述したように４〜６ｍｍとした場合には該円弧の中心点Ｃは歯ブラシ本体の基底部１６から４〜６ｍｍの高さに位置することとなる。なお、中心点Ｃの周りの円形の空隙Ｄは、直線状ブラシ毛２２，２４が押し込まれ弾力を発揮できるスペースになるという有利さがある。
【００４１】
前記外側弧状ブラシ毛２８ａ，２８ａの円弧の半径ｒは、前歯や臼歯の長さを勘案すると４．５ｍｍ〜９ｍｍ程度が好適であり、左右からしっかり歯及び歯肉を包み込み、清掃マッサージを可能にする。図８に示したように、前記内側及び外側弧状ブラシ毛２６ａ，２８ａの先端部を重複部分Ｗ１，Ｗ２で示したようにＷ１，Ｗ２の部分を４〜６ｍｍ程度重ねるようにし、長くした分だけ弾性力が高まり、戻ろうとする弾性力で隣接面、歯間の清掃、辺縁歯肉にマッサージを有効に行うことができるという利点がある。
【００４２】
上記した直線状ブラシ毛２２，２４の長さの数値及び基底部１６と傾斜側面部１８とのなす角度の数値は前歯及び臼歯の平均値から算出したもので、最良の範囲を示すものである。
【００４３】
上述した構成により、その作用及び効果について説明する。
本考案の歯ブラシ１０によれば、歯磨きを行うにあたり、図５に示したように、当該歯ブラシ１０を上から歯Ｔに押し付けて、挟み込むようにするだけで、弧状のブラシ毛が戻ろうとする弾力性で歯Ｔ及び歯肉Ｇをつかみ込み、磨きたいところを隅ずみまで的確に清掃を可能にする。
【００４４】
また、簡単な操作動かし方で、同時に歯の溝、側面、清掃の難しい歯周ポケットの清掃、歯と歯の隣接面、歯頸部及び辺縁歯肉の清掃、刺激によるマッサージ効果を発揮する。図５に示したように、歯ブラシ１０の外側弧状ブラシ毛２８ａ，２８ａの毛先を歯周ポケットＰＴに挿入した状態で歯を磨くこともでき、歯周病の原因になる歯垢、食物残渣を容易に除去することができる。さらに、本考案の歯ブラシは、不正咬合や、叢生に対しても効果的な歯磨きをおこなうことができ、また矯正中の歯に対しても有効な歯磨きを行うことが可能である。
【００４５】
歯科で推奨されている磨き方には４５度に毛を当てるバス法、圧迫振動するスクラビング法が良いとされ、電動、音波ブラシはその動きを目指して開発されている。しかし、電動にしても通常の手動にしても、歯ブラシの当て方、角度挿入方法は個人差があり裏側（舌側、口蓋側）の奥歯側（臼歯部）はなかなか磨けていないケースが多い。本考案の歯ブラシ１０はこの点も、当該歯ブラシ１０を挿入して押し当て包み込むだけでそのまま奥にずらすだけなので、後に説明するが奥にずらす方向も間違えずに、いとも簡単に磨く事ができる。
【００４６】
本考案の歯ブラシ１０の中央ブラシ毛列２０のブラシ毛２２，２４は、図４に示したように、その長さを交互に短尺と長尺とし凹凸となるように植設されおり、そのブラシ毛２２，２４は臼歯部の細かな溝に圧をかけることにより効果的に入り込み隅々までの清掃刺激効果を発揮する。また、側面のロール状の毛２６ａ，２８ａを、図２によく示されるように、交互に植毛することにより、歯ブラシ１０全体の幅を小さくすることができるという利点がある。
【００４７】
本考案の歯ブラシ１０の弧状（ロール状）になって二列一対で向かい合っている側面内側ブラシ毛列２６及び側面外側ブラシ毛列２８に対して上から圧をかけて歯Ｔに押し当て挟み込むことにより、それぞれのブラシ毛２６ａ，２８ａは広げられ側面外側ブラシ毛列２８のブラシ毛２８ａの先端は辺縁歯肉Ｇ及び隣接面に当接し、一方側面内側ブラシ毛列２６のブラシ毛２６ａ先端は歯周ポケット、隣接面及び歯間乳頭歯肉に当接し的確かつ容易に清掃マッサージ効果を発揮する。
【００４８】
本考案の歯ブラシ１０の側面ブラシ毛列２６，２８において、弧状（ロール状）ブラシ毛２６ａ，２８ａの中央部は歯の側面に対してロール状になっている為にブラシ毛２６ａ，２８ａの多くの表面積が歯面に接触し、前後に動かすことにより、しっかりと歯面を研磨しかつ清掃する。また、従来の歯ブラシの直毛状ブラシ毛を使用した場合の横磨きのやりすぎによる歯頸部のエナメル質が摩耗して起こる、知覚過敏の原因の楔状欠損の発生をブラシ毛２６ａ，２８ａが弧状になっている為に、直毛状のブラシ毛の場合に直毛ブラシ毛が直接圧をかけてしまって知覚過敏になるような不都合の発生はなく、容易に防ぐことができる。
【００４９】
従来の歯ブラシを使用して歯磨きをする場合には、磨きすぎによって歯の側面部分が磨り減ってしまうという不都合がよく発生していたが、本考案の歯ブラシによれば、側面ブラシ毛を弧状とすることによってブラシ毛が歯の側面部分にマイルドに接触することとなり、そのような不都合の発生も解消するものである。
【００５０】
この知覚過敏の発生する磨き方は習慣になっているケースが多く、しっかりとした磨き方の指導を受けて、意識して身につけないとなかなか難しいのが現状である。また、歯並びが重なっていたりして磨きづらい症例の方でも、弧状に湾曲したブラシの戻ろうとする弾力性で、つまり適度な圧力で隅ずみまで毛先を行き渡らせることが可能となる。この場合、本考案の歯ブラシ１０を歯Ｔに押し込み、全体を包込んだ状態で、前後に動かすだけという簡単な操作で実施できる。
【００５１】
本考案の歯ブラシ１０のもうひとつの利点は、両側の側面ブラシ毛２６ａ，２８ａの植毛位置が傾斜側面であるために側面ブラシ毛２６ａ，２８ａが外側に向かっており、これによって、図５に示すように、弧状のブラシ毛２６ａ，２８ａが頬粘膜Ｈ及び舌側縁Ｓの清掃を可能にすることである。本考案の歯ブラシで１０は、左右一対の傾斜側面ブラシ毛植設部１８Ａには内側に側面内側ブラシ毛列２６及び外側に側面外側ブラシ毛列２８をそれらが交互に位置するように２列に植設しており、側面内側ブラシ毛列２６及び側面外側ブラシ毛列２８を互いに真横になるように植毛しないのは、歯ブラシ基体部１４、ひいてはブラシ毛植設部１４Ａの幅を小型化にし、違和感を最小限にとどめるためにこのような形態を採用したものである。
【００５２】
上顎口蓋側（内側）に歯ブラシを挿入する時に、頬側（外側）は歯列弓にそって斜め外側に挿入するのに、まっすぐ後ろに挿入してしまうために、歯周病になってしまい、歯周ポケットを深くしてしまうケースが多い。このようなケースでも、本考案の歯ブラシ１０を使用すれば、図６及び図７に示したように、歯Ｔを挟んで徐々に奥にずらしていくため、均等な圧力で歯、及び歯周組織をくまなく清掃する清掃マッサージを容易に行うことが可能になる利点がある。
【００５３】
上記した本考案の歯ブラシ１０の製造方法の一例を図９によって説明する。
まず、準備工程として次の４工程（工程１００〜工程１０６）を行う。
【００５４】
基底部に形成された中央ブラシ毛植設部と左右一対の傾斜側面ブラシ毛植設部とを備えた歯ブラシ基体部を作製する（工程１００）。
【００５５】
次いで、複数本の直線状ブラシ毛を集束してなる直線状ブラシ毛集束体を複数個準備する（工程１０２）。
【００５６】
上記した複数本の短尺内側弧状ブラシ毛を集束してなる短尺内側弧状ブラシ毛集束体を複数個準備する（工程１０４）。
【００５７】
上記した複数本の長尺外側弧状ブラシ毛を集束してなる長尺外側弧状ブラシ毛集束体を複数個準備する（工程１０６）。
【００５８】
続いて、植設工程として次の３工程（工程１０８〜工程１１２）を行う。
【００５９】
上記中央ブラシ毛植設部の長手方向に上記直線状ブラシ毛集束部の複数個を所定間隔をおいて植設する（工程１０８）。
【００６０】
上記傾斜側面ブラシ毛植設部の長手方向内側に上記短尺内側弧状ブラシ毛集束体の複数個を所定間隔をおいて植設する（工程１１０）。
【００６１】
上記傾斜側面ブラシ毛植設部の長手方向外側でかつ上記植設されたここの短尺内側弧状ブラシ毛集束体の間に位置するように長尺外側弧状ブラシ毛集束体の複数個を所定間隔をおいて植設する（工程１１２）。
【００６２】
このように植設工程が完了すると、本考案の歯ブラシ１０が完成する。
【符号の説明】
【００６３】
１０：歯ブラシ、１２：長尺状握り部、１４：歯ブラシ基体部、１４Ａ：ブラシ毛植設部、１６：平坦基底部、１６Ａ：中央ブラシ毛植設部、１８Ａ：傾斜側面ブラシ毛植設部、１８：傾斜側面部、２０：中央ブラシ毛列、２２：短尺直線状ブラシ毛、２４：長尺直線状ブラシ毛、２６：側面内側ブラシ毛列、２６ａ：内側弧状ブラシ毛、２８：側面外側ブラシ毛列、２８ａ：外側弧状ブラシ毛、Ｂ１、Ｂ２：接触部分、Ｃ：中心点、Ｄ：空隙、Ｔ：歯、Ｇ：歯肉、Ｈ：頬粘膜、Ｓ：舌側縁、ＴＰ：歯周ポケット、Ｗ１，Ｗ２：重複部分、ｒ：外側弧状ブラシ毛の円弧の半径、α：基底部と傾斜側面部とのなす角度。
【図１】
0003185736.tif 000003
【図２】
0003185736.tif 000004
【図３】
0003185736.tif 000005
【図４】
0003185736.tif 000006
【図５】
0003185736.tif 000007
【図６】
0003185736.tif 000008
【図７】
0003185736.tif 000009
【図８】
0003185736.tif 000010
【図９】
0003185736.tif 000011